(57)【要約】【課題】風力増強風車は風集の風上側が広いので強風又は突風に当てられると壊われてしまう強風又は突風が風力増強風車又は幅広風車に当たる前に強風だけ感知して通常の風は感知しないで上記各各風車の形を変えて強風又は突風に吹かれてもあまり影響を受けないようにする。【解決手段】強風又は突風に抵抗する任意の反発手段が通常の風には負けないが強風又は突風の力に負けた事により任意の伝達手段を介した強風センサーの感知により風下側の風力増強風車及び幅広風車の風車の長手方向を強風又は突風に当たる前に風下方向と平行にし又は風集又は風力板又は幅広風車の幅方向を風下方向と平行にする。【選択図】図１７
2010266422.tif 000002
【特許請求の範囲】
【請求項１】
強風に当ったら任意の反発手段の抵抗の力が強風に負けて遮電手段が通電手段になる事を特徴とした強風センサー。
【請求項２】
強風になって風車の回転がさらに増し遠心力により遮電手段が通電手段になる事を特徴とした強風センサー。
【請求項３】
１発突風で急に突風になり急に通常の風に戻る事に対応する為通電時間を機械的に長くする事を特徴とした請求項１、２記載の強風センサー。
【請求項４】
通電時間を専業的手段を用いて長くすくする事を特徴とした請求項１、２記載の強風センサー。
【請求項５】
通電時間を機械的手段と専業的手段を組み合せて長くする事を特徴とした請求項３、４記載の強風センサー。
【請求項６】
強風が終って任意の手段により任意の時間帯を通電時間とする事を特徴とした請求項４、５記載の強風センサー。
【請求項７】
任意の時間帯の間に通電先の状態により遮電手段とする事を特徴とした請求項６記載の強風センサー。
【発明の詳細な説明】
【技術分野】
【０００１】弱風に感知しないで強風だけに感する事にしそして通常の風になってもすぐに遮電状態にならないようにする。
【背景技術】
【０００２】微風センサーはあるが強風センサーは無いと思った。
【発明の開示】
【発明が解決しようとする課題】
【０００３】風力増強風車は風上側の風集の風圧面積を広くして風下側を狭くして風力を上げていますが風圧面積が広いと強風の時風車及び支柱がこわれるこわれないように風力増強風車の風上側に強風だけに感知する強風センサーを設けて強風が風力増強風車に当る前に風力増強風車が強風又は突風の影響を受けないようにする。
【課題を解決するための手段】
【０００４】風受板の上を支点を設けて傾けて風受板の下部に板バネ状の複数の伝導体１７、１５を連通させ風受板の回転半径の弧状に板バネ状の複数の伝導体に接する弧状伝導体１６、１４を設けて風受板２が止まっている時は少なくとも伝導体１７と弧状伝導体１６又は伝導体１５と弧状伝導体１４の少なくともどちらか１方が絶縁体に接っし又は風受板６３に設けた複数の連通するバネ状の伝導体６９と接する伝導体６７又はバネ状の伝導体６６と接する伝導体６５の少なくともどちらか１方を絶縁体６８とし【０００５】小風受板１０１に強風圧が当ってうで１０２を上げて連通する複数の伝導体１２３、１１２が上がって伝導体１１３、１２１は小風受板が強風に吹かれる時は通電しないが強風が通常の風になると風受板１０４が戻りそして小風受板１０１が戻って伝導体１２３、１１２が下がって伝導体１２１、１３１と通電する。
又風受板６０３が止め及び伝導体１００に止まっている時風受板６０３に設けたバネ状板の伝導体６０９が弧状の内面に設けた複数の伝導体６０６、６０７の少なくともどちらか１方と離れていて強風で風受板６０３が上がると通電するしくみ。【０００６】風車羽根１６０、１６１が回転する事で遠心力１方１５６、２１５、６５５と遠心力他方１６３、２１９、６６１が外側に動く事により押し棒１５９、２１６、６５８を押しそして押し板１７６、２１３、６５６を押し受箱１５８、２１４、６５７で受けて回転力を遮断して絶縁体１５２、に少なくともどちらか１方のスイッチ他方１６４又はスイッチ１方１５５を接っしさせ受け箱１６８が押されると絶縁体１５２と伝導体１５４が押されてスイッチ１方１５５とスイッチ他方１６４が両方が伝導体に接触して通電する、又は絶縁体２０２Ａにスイッチ１方２０３Ａ又はスイッチ他方２０３Ｂの少なくとどちらか片方を接っしさせ強風により遠心力１方と遠心力他方等の力により受箱２１４が押されると絶縁体２０７Ａと伝導体２０２が押されて伝導体２０２にスイッチ１方とスイッチ他方が接触して通電する、又は絶縁体６５１にスイッチ１方６６５又はスイッチ他方６６６の少なくともどちらか１方を接触させて受箱６５７を押されると伝導体６５２とスイッチ１方６６５とスイッチ他方６６６が接触するので通電する。【０００７】風受板２３１に受ける風圧力をバネ又は流体圧で抵抗し風受板に連結する連結棒２３２に連結する絶縁体２５７にスイッチ１方又はスイッチ他方の少なくともどちらか片方を接っしさせて絶縁状態にしておき連結棒２３２を強風で押す事により伝導体２４９にスイッチ１方２４８とスイッチ他方２５２が接っして通電手段とするか又は連結棒２９２絶縁体２８９を固着して絶縁体２８８にスイッチ１方２８１又はスイッチ他方２８４の少なくともどちらか１方と接っしさせて絶縁状態にし強風に押されて連結棒２９２が動く事により伝導体２９０が動いて伝導体２９０にスイッチ１方とスイッチ他方が接触して通電する又は連結棒７００に固着する絶縁体７１６にスイッチ１方７１８又はスイッチ他方７１０の少なくともどちらか１方が接っして絶縁状態になり強風に押されて伝導体７１８及び絶縁体７１６が押されて伝導体７１８にスイッチ１方７１７及びスイッチ他方７１０が接っして通電とする。【０００８】風の入口を広くして風圧を受ける液体面３００と連通させて次の第２液体面３２６の面積を小さくして設け第２液体面３２６にフロート３２５を浮べて連結棒３２７を設けて連結棒に絶縁体３０４にスイッチ１方３０６又はスイッチ他方３０３の少なくともどちらか片方のスイッチを接っしさせで絶縁状態にして強風により第２液体面が上がる事でフロート及び連結棒そして伝導体が上がるので絶縁体に接っしていたどちらか片方のスイッチが伝導体に接っして通電状態になる。第２液体面を小さくする事で液体面の上下が大きく動くのでスイッチの入れ切れがはっきり分る。又連結棒３５８に絶縁体３５５を設けてスイッチ１方３５６又はスイッチ他方３５４の少なくともどちらか片方のスイッチを接っしさせて絶縁状態にして強風により第２液面３７５が上がるにつれてフロートそして連結棒そして絶縁体３５５が上がりそして伝導体が上がるので伝導体にスイッチ１方とスイッチ他方が接っして通電になる又は連結棒７６７に固着する絶縁体７５５にスイッチ１方７５６又はスイッチ他方７５７の少なくともどちらか片方を接っしさせる事にでも絶縁状態とし強風により第２液面７６９及びフロート７６８及び連結棒７６７及び伝導体７５４が上がりスイッチ１方７５６及びスイッチ他方７５７が伝導体に接っして通電する。【０００９】風受板４００に連結棒４２０を設けて圧縮されたバネ４１９又は気体圧の力が強風に負けて縮んで押し部４１４が接触センサー又は圧力センサー４１３を押して通電する又は圧縮されたバネ５１６又は気体圧の反発力が強風に負けて縮んで押し部５１８が接触センサー又は圧力センサー５１７を押して通電する。又は風受板８００にかかる強風の力にバネ又は気体圧の反発力が負けて縮んで押し部８１１で接触センサー又は圧力センサー８１０を押して通電する。【００１０】強風圧を感知するには風受板２、  の重さにより反発手段とし又は風受板５７にはさみ板２０Ａ、２０Ｂを設けてスライド板２０をはさみスライド板の先に角度止回転ひっかけ部２１がくぼみ１３Ｂにひっかかって強風の力により角度止回転ひっかけ部が１ピッチ回転してくぼみ１３Ｂから外れて風受板が動く、角度止回転ひっかけ部には正多角形又は正偶数多角形を設けて両側からはさみ部２１Ｃ、２１Ｌ、２２Ｃ、２２Ｌではんで内側方向にバネ等で力を加えておく又は風受板の１部にスライド可のスライド板５９を設けてくぼみの風下側にくぼみ斜部６２を設けてスライド板をくぼみ斜部６２の所を風力の力で上げさせて風抵抗とする事もある。風受板１０４の風上側に小風受板１０１を設けて強風により小風受板１０１が押されてうで１０２が上がり伝導体１２３、１１２が上がり強風に吹かれた時は通電しないが通常風になると弧状伝導体１１３と伝導体１１２が接っしそして弧状伝導体１２１と伝導体１２２が接っし弧状伝導体１１３と弧状伝導体１２１は通電する。【００１１】強風を感知するには片側がくぼんで風抵抗を大くした風車に強風が当ると回転速度が上がりそれにつられて遠心力１方１５６、２１５、６５５及び遠心力他方１６３、２１９、６６１が上がり遠心力１方と遠心力他方に連通して押し部１５９、２１６、６５８を設け出来れば先端に押し板２１３、６５６を設て受箱１５８、２１４、６５７を受けて押す力だけは伝えるが回転力は遮断する。【００１２】液面３００と連通する第２液面３２６及び液面３５０と連通する第２液面３７５及び液面７５０と連通する第２液面７６９で液面３００、３５０、７５０に風圧を当てる風入口３１０、３５９、７５１の面積を広くし液面３００、３５０、７５０に当たる風圧力を高めて第２液面３２６、３７５、７６９の上下の変動を大きくしフロート３２５、３７４、７６８及び連結棒３２７、３５８、７６７及び伝導体３０１、３５３、７５４、及び絶縁体３０４、３５５、７５５の上下移動が大きくない感知しやすい。【００１３】１発突風のようにすぐに通常の風になると風受板がすぐ戻って通電しなくなるので長さのある風車が風下側にすぐに角度回転出来ないのである程度通電時間が心要で通電時間を長くするにはタイマーを用いるか又はシ���ンダーに逆止めふた９を設けて風受板に強風が当ると反発手段が負けて風受板が上がりそれにつられてピストンが下がりシリンダー内が真空近くになるので逆止ふたが上がりシリンダー内に気体が入り風受板が下がるとピストンを押して小穴６０から気体が出るので気体抵抗により通電時間が長くなる。強風に風受板の反発手段が負けて風受板５７が押し上げられその時らせんギア５１未満までの仲介ギアが空回転して力を伝えないが風受板５７が自重により下る時にらせんギア５１で１段抵抗し抵抗羽根でっ段抵抗するので通電時間が長くする事が出来る。【００１４】又遠心力でピストン１７７が下がるとシリンダー内の気体が逆止めふた１５３から１気に出てピストンが上がるとき小穴１５０から出るので時間がかかるので通電時間を長くする事が出来る。遠心力で連通するラック２０４が下がりラックかららせんギア２０９未満までの仲介ギアに片方空回転他方伝回転とし強風から通常の風に戻った時に反発手段等によりラックが上がる時ラックを越えから抵抗羽根車２１０未満までの仲介ギア等で力を伝えらせんギアの１段抵抗に抵抗羽根車の２段目の抵抗が加わるので通電時間を長くさせる事が出来る。【００１５】風受板２３１に連結棒２３２を固着して連結棒にラック２３０を設けラックを越かららせんギア２３７未満まで片方空転逆方伝回転とし強風で風受板を押すと反発手段２４５等が強風に負けてラック越かららせん未満までの伝達手段が空回転して抵抗無しで通電になるが通常風になり反発手段で元に戻る時らせんの抵抗に抵抗羽根車の抵抗が加わり回転が遅くなるので通電時間を長くする事が出来る。又連結棒２９２にクランクを介してピストン２７３に連結しピストンに逆止ふた２７０を設けてピストン又はシリンダーの任意の所に小穴２７４を設けて風受板２７６が強風に押されていたが通常風になって反発手段により戻るシリンダー内の気体が出てそして戻る時逆止めふたが閉じて小穴より気体が入いろうとするので通電時間が長くなる。【００１６】広い液体面３００に連通して第２液体面３２６に浮かせているフロート３２５及び連結棒３２７及びラック３０５が上がりラックを越えらせんギア未満までの伝達手段に今空回転逆方伝回転とし強風から通常風に変って第２液体面の高さが大きくなりそしてすぐに元に戻っても連結棒が上がる時は抵抗なして上がるが下がる時連結棒３２７から抵抗羽根車まで力が伝わるのでらせんギアとギアの抵抗に抵抗羽根車の抵抗が加わわって回転が遅くなるので通電時間を長くさせる事が出来る。又連結棒３５８にピストンを連結しピストンが上がる時下部のシリンダーの逆止ふた３６３が開いて気体を入れ第２液面が下がるときシリンダー内の任意の所に設けた小穴より気体を出す事により小穴は吸気口３６４よりかなり小さいので通電時間を長くさせる事が出来る。【００１７】風受板４００に連通する連結棒４２０の先に圧縮された反発手段４１５を設けて内バネ４１５の先端に押し部４１４を設けて離して接触センサー又は受圧センサー４１３を設けて連結棒４２０に設けたバネ受４２６に圧縮された反発手段を支持させて強風により外バネの反発力が強風に負けて内バネの先端の押し部４１４が接触センサー又は受圧センサーに接っして通電し���バネ及び内バネ又はバネを２列にする事により縮む長さが長くなるのでラック４２５が動きラックを越えから抵抗羽根車未満までの伝達手段を片方空転逆方伝回転とするので強風に押された時は力を伝えないが通常の風に戻った時ラックが戻るのでらせんギアとギアの抵抗に抵抗羽根車の抵抗が加わわって回転が遅くなるので通電時間が長くする事が出来る。又連結棒５２８にクランクを介してピストン５３０に連結する時はピストン５３０に設けた通気口５０７に逆止めふた５０６を設けて風受板５００が強風で押される事によりピストンが下がり逆止めふた５０６が開いて気体が流入し外バネ及び内バネが戻る時逆止ふたが閉じて通気口５０７よりかなり小さい小穴から気体が出るので時間がかかり通電時間を長くする事が出来る、そして各各の通電時間を長くする手段の部分の１つとしては伝導体１５４、２０２、２４９、２９４、３０１、３５３、６５２、７１８、７５４を長くして伝導体と各各のスイッチが接っする時間を長くする。そして伝導体と絶縁体を１平面とする。【００１８】強風を避けるために機械的に風車の風集又は風力増強風車の風集と風力板（プロペラ）を組み合せたものを強風又は突風が風力増強風車に当たる前に強風センサーを風上側に設けて強風を感知して通電又は通信（無線又は有線）又は流体を通す事又は上記各各任意に組み合せたものに任意の手段を用いて風集及び風力板を風下方向に角度回転させ又は風力増強風車の長手方向を風下方向と平行に角度回転させる又風力増強風車を元に戻す手段としては強風が終ってから１時間位から２時間位の間に強風が感じなかったら風車板で風方向に対して斜め方向の板を風下方向と平行にするか又は幅広風車の長手方向を風下方向と平行にするか又は風力増強風車の風下側を狭くした風集を風下方向と平行に風集を角度回転させるか又は風力増強風車の長手方向を風下方向と平行に角度回転させる。強風が終った事を感じる時は風受板２、５７、１０４、６０３の風受面に弧状枠に止め及び伝導体１、７５、１００、６００を設けて止め及び伝導体当りに当る所の風受板にスイッチ１Ｃ、１Ｄ、又は７８、７９、１２６、１２５、６１３、６１４を設けて又は遠心力が弱まって反発手段バネ等１５１の反発力が上がってスイッチ１６８、１６９、及び２２５、２２６及び６５４、６６４止め及び伝導体１５７、２０１、６５３が接っして又は風受板２３１、２７６、７０３をバネ２４５、２８７、７１３等で反発手段としてはスイッチ２３８、２５１又は２７９、２７８、又は７０４、７０２に止め及び伝導体２５０、２９１、７０１が接っし又は風受板４００、５００、８００に固着する連結棒４２０、５２８、８２０、の二重のバネにより反発を受けて通常の風に戻った時任意の所に設けたスイッチ４２３、４２２及び５２７、５２６及び８０１、８１９に止め及び伝導体４２１又は５２５又は８１８が接っしる事により通電又は通信又は通流する。
【発明の効果】
【００１９】風力増強風車に強風又は１発突風が当たる前に感知させるため強風センサーを風力増強風車の風上側に設けるが実際は風力増強風車の周辺に設け風力増強風車の風集又は風力板又は風車の長手方向又は幅広風車の長手方向又は風車板の幅方向を風下方向と平行に強風又は１発突風が当たる前にする事で風集又は風力板又は幅広風車又は風車がこわれない。
【発明を実施するための最良の形態】
【００２０】風受板６０９を斜めにし風受板の下部にバネ状の伝導体６０９、６１５を設け風受板の半径の弧の板に弧状伝導体を何本か設け風受板に設けた何組かの伝導体と摺接させ風受板が止まっている時はバネ状の伝導体６０９、６１５と弧状伝導体は全部遮電にし風受板の風受側で弧の板に止め及び伝導体６００を固着し風受側の止め及び伝導体６００の位置に接触スイッチ６１３、６１４を設けてタイマー６１０を介し、【００２１】そして弧状伝導体６１９、６０７にタイマー６１１を介し風受板の重さ又は斜角で強風圧の抵抗調整する。風受板の自重が強風に負けて吹き上げられると弧状伝導体６１９と弧状伝導体６０９がバネ状伝導体６０９に接っするので通電してタイマー６１１を介して風力増強風車に通電して風車の長手方向が角回転して風下方向と平行になり風力増強風車の長手方向が角回転するにはいくらか時間がかかりタイマー６１１がある程度時間が過ぎたら風力増強風車への通電を切るか風力増強風車からの負荷又は信号により通電を切る。風が通常になってスイッチ６１３、６１４が止め及び伝導体６００に接っしてタイマーを介して１時間位から２時間位強風を感知しなかったら風力増強風車に通電して風車、風集、風力板が強風の影響を受けない方位に変える、
【実施例】
【００２２】任意の所に設けたスイッチ１Ｃ、１Ｄ、１６８、１６９、２２５、２２６、２３８、２５１、２７９、２７８、３０２、３２４、７８、７９、１２６、１２５、６１３、６１４、３５１、３７１、４２３、４２２、５２７、５２６、６５４、６６４、７０４  ７０２、７５２、７６６と止め及び伝導体１、７５、１００、６００のどちらか１方を柔軟接触とする。例えばスイッチの方をバネ状とする事もあり又止め及び伝導体の方を伝導体の板の裏側にバネで柔軟手段とする事もある、弧状伝導体は絶縁体より僅かに出す。スイッチ１方とスイッチ他方の各各１５５、１６４、２０３Ａ、２０３Ｂ、２４８、２５２、２８１、２８４、３０６、３０３、３５６、３５４、６５７、６５０、７１７、７１０、７５６、７５７はバネで押す事とし絶縁体と伝導体の各各１５２、１５４、２０２Ａ、２０２、２５７、２４９、２８９、２９０、３０４、３０１、３５５、３５３、６５１、６５７、７１６、７１８、７５５、７５４は段差の無いフラットとする。
【産業上の利用可能性】
【００２３】風力発電及び風力増強風車の発電に利用出来る。
【図面の簡単な説明】
【００２４】
【図１】  強風センサーの見付図
【図２】  Ａ−Ａ見付図
【図３】  Ｂ−Ｂ見付図
【図４】  Ｃ−Ｃ断面図
【図５】  強風センサーの見付図
【図６】  Ｄ−Ｄ面見付図
【図７】  強風センサー見付図
【図８】  強風センサー見付図
【図９】  強風センサー見付図
【図１０】  強風センサー見付図
【図１１】  らせんギアとギアの詳細図
【図１２】  強風センサー見付図
【図１３】  強風センサー見付図
【図１４】  強風センサー見付図
【図１５】  強風センサー見付図
【図１６】  強風センサー見付図
【図１７】  強風センサー見付図
【図１８】  強風センサー見付図
【図１９】  強風センサー見付図
【図２０】  強風センサー見付図
【図２１】  強風センサー見付図
【符号の説明】
【００２５】止め及び伝導体      １、７５、１００、１５７、２０１、２５０、
２９１、３２３、３５２、７５３、４２１、５２５、
７０１、８１８、６００、６５３
電線                １Ａ、１Ｂ、７７、７６、６７Ａ、６５Ａ、１１５、１１６、
１０４、１０３、１７２、１７３、１７０、１７１、１７４、
１７５、２２２Ａ  ２２２Ｂ、２２３Ａ、２２３Ｂ、２２４Ａ、
２２４Ｂ  ２４１、２４２、２５３、２５４、２５５、２５６、
２８２、２８３、２９５、２９６、２９３、２９４、３１４
３１５、３１８、３１９、３２１、３２２、３６８、３６９、
３７０、３６６、３７２、３７３、４０７、４０５、
４１０、４１２、４０８、４０７、５０８、５０９、５１３、
５１２、５１４、５１５、６０４、６０５、６０１、６０２、
６６７、６６８、６６９、６７０、６７１、６７２、６１１、
６１２、７０６、７０５、７２０、７１９、７０８、７０９
８０８、８０９、８０５、８０６、８０２、８０３、７５９
７５８、７６１、７６２、７６３、７６４
風受板              ２、６０、１０４、２３１、２７６、４００、５００、６０３、
７０３、８００
小風受板            １０１
らせんギア          ２０９、２３７、３１３、４２４、５１
クランク            ５０１
うで                ３、１０６、５０２、１０２
伝導輪              ５６
抵抗羽根車          ５０、２３６、３１１、４０４、２１０
逆止ピン            ５２、２０８、２３５Ｂ
逆止ギア            ５３、２１１、２３５Ａ、３０７、４０３
摺接面              ５５
ギア                ５４、２０７、２３５、２３３、３１２、２０５
２３３、３０９、４０１
連結棒              ４、１０７、２３２、２９２、３５８、５２８、５０３、
７００、８２０、８１６、
連結棒ケース        ２８６
ピストン            ５、１０８、３６２
小穴                ６、１１０、１５０、２７４、３５７、５０４
ラック              ２０４、２３０、３０５、４２５
止め部              ２８５
シリンダー          ７、１６５、２７２、３６１、５０５
スイッチ            １Ｃ、１Ｄ、７８、７９、１２６、１２５、１６８、１６９、
２２５、２２６、２３８、２５１、２７９、２７８、
３０７、３２４、３５１、３７１、４２３、４２２、
５２７、５２６、６１３、６１４、６５４、６６４、７０４
７０２、７６６、７５２、８０１、８１９
スイッチ１方        １５５、１６８、２１２、２０３Ａ、２３８、２７９、２８１、
３０２、３０６、３５１、３５６、４２２、５２７、６６５、
６５４、７０４、７１７、７５２、７５６、８０１、
スイッチ他方        １６４、１６９、２００、２０３Ｂ、２５１、２７８、
２８４、３０３、３７１、３５４、４２３、５２６、
６６６、６６４、７０２、７１０、７６６、７５７、
８１９、
蝶番にぎり芯        ２１Ｈ、２２Ｈ
蝶番にぎり１方      ２１Ｇ、２１Ｅ
蝶番にぎり他方      ２１Ｊ
斜部１方            ２１Ｆ、２２Ｆ
斜部他方            ２１Ｋ、２２Ｄ
はさみ部１方        ２１Ｃ、２２Ｃ
はさみ部他方        ２１Ｌ、２２Ｌ
回転軸              ２１Ａ、２２Ａ、２１Ｎ
回転軸支持          ２１Ｄ
回転軸支持上部      ２１Ｈ
角度止回転体        ２１Ｂ
バネ                ２２Ｍ、２１Ｍ、１５１、２０６Ａ、２８７、
４１９、６５０、７１３、８１２、８１５
角度回転ひっかけ部  ２１
遠心力１方          １５６、２１５、６５５
遠心力他方          １６３、２１９、６６１
受箱                １５８、２１４、６５７
押し棒              １５９、２１６、６５８
押し板              ２１３、６５６
風速羽根１方        １６０、２１７
風速羽根他方        １６１、２１８
タイマー            １６６、１６７、２２０、２２１、２３９、２４０、
３１７、３２０、５１０、５１１、６１０、６６２、
６６３、７２１、７０７、７６５、８０４、８０７、
液体面              ３００、３２６、３５０、３７５、７５０、７６０、
７６５、
フロート            ３２５、７６８、３７４
押し部              ４１４、５１８
受板                ７１１、８１１
シリンダー内        ８
支点                ２７５
逆止めふた          ９、１１１、１５３、２７０、３６３、５０６、
通気口              １０、３６４、５０７
回転角結合部        ２７７
移動後風受板        ２Ａ
折れ部              １１
内バネ              ４１５、５１９、８１３
連結軸              ２０５Ａ、２３４、３０８、４０２、５２３
５１６、７６７
弧状絶縁体          ５８、１１８、６０８、１３、１１４、６０６、６０８、
６１８
弧状伝導体          １４、１６、６７、６５、１１３、１２１、１１７、
６０７、６１６、６１７、６１９、
伝導体              １２、７０、１００、１２３、１１２、１２０、
１１９、１５４、１５７、２０２、２５０、２４９、
２９０、３０１、３５２、３５３、４２１、５２５、
６００、６５２、６５３、７０１、７５３、
７１８、７５４、８１８、
バネ部伝導体        １５、１７、６９、６６、６０９、６１５、
2010266422.tif 000003
絶縁体              １８、５８、１２２、１１４、１５２、１２４、
１６２、２０２Ａ、２５７、２８９、３０４、
３５５、６０８、６５１、７１６、７５５
移動後の絶縁体      １３Ａ
くぼみ              １３Ｂ  ６１
くほみ斜部          ６２
すべり止め          １９
風集                ３６０
風入口              ３５９、７５１
スライド板          ２０、５９
抵抗部              ６４
はさみ板            ２０Ａ、２０Ｂ、６０、６３
バネ受              ７１５、４２６、５２９
角度止回転          ２１Ａ
移動後風受板        ５７
内スライドケース    ４１８、５２０、８１４
外スライドケース    ４１７、４１６、５２１、５２４、８１７、
８１５、７１２
【図１】
2010266422.tif 000004
【図２】
2010266422.tif 000005
【図３】
2010266422.tif 000006
【図４】
2010266422.tif 000007
【図５】
2010266422.tif 000008
【図６】
2010266422.tif 000009
【図７】
2010266422.tif 000010
【図８】
2010266422.tif 000011
【図９】
2010266422.tif 000012
【図１０】
2010266422.tif 000013
【図１１】
2010266422.tif 000014
【図１２】
2010266422.tif 000015
【図１３】
2010266422.tif 000016
【図１４】
2010266422.tif 000017
【図１５】
2010266422.tif 000018
【図１６】
2010266422.tif 000019
【図１７】
2010266422.tif 000020
【図１８】
2010266422.tif 000021
【図１９】
2010266422.tif 000022
【図２０】
2010266422.tif 000023
【図２１】
2010266422.tif 000024